(57)【特許請求の範囲】
【請求項１】
室内の角の側壁に沿う両側の斜辺側板に底辺側板をつなげて形成し且つ該底辺側板に切欠を有する有底の三角筒体と、該三角筒体の上部開口及び前記切欠を覆い且つ開閉可能な蓋体とで構成し、前記三角筒体は中間位置で２分割し下部三角筒体と上部三角筒体とをヒンジで連結して、該上部三角筒体を１８０度折り曲げ中間高さの四角筒体を形成可能にしてなり、通常時は非常用防災品を収納し且つ蓋体にて閉じた状態の前記三角筒体を前記室内の角に設置してあり、非常時は前記三角筒体内から前記非常用防災品を取り出すと共に、前記上部三角筒体を１８０度折り曲げ中間高さの四角筒体を形成し、該四角筒体に前記非常用防災品のトイレ用具をセットして非常用トイレにすることを特徴とする非常用防災品備蓄庫。
【請求項２】
前記下部三角筒体及び上部三角筒体の分離端に内側に延びる縁板を設けた請求項１記載の非常用防災品備蓄庫。
【請求項３】
前記下部三角筒体及び上部三角筒体における下部切欠及び上部切欠は同形である請求項１または２記載の非常用防災品備蓄庫。
【請求項４】
前記三角筒体の上方に蓋体付の備蓄箱を積み上げてなる請求項１、２または３記載の非常用防災品備蓄庫。
【請求項５】
前記三角筒体に揺れ感知センサ及び防犯ブザー並びにこれらの制御機器を設けてなり、前記揺れ感知センサが所定の揺れ以上を検知すると、前記蓋体を開けても前記防犯ブザーを作動させず、前記揺れ感知センサが所定の揺れ以上を検知しないのに前記蓋体を開けると、前記防犯ブザーを作動させる請求項１乃至４のいずれか１項に記載の非常用防災品備蓄庫。
【請求項６】
請求項１乃至５のいずれか１項に記載の非常用防災品備蓄庫の外面に、蓄光材にてその使用方法及びその位置を、明示してなることを特徴とする非常用防災品備蓄庫。
【請求項７】
請求項５に記載の非常用防災品備蓄庫に非常灯を設け、前記揺れ感知センサが所定の揺れ以上を検知すると、前記非常灯が点灯することを特徴とする非常用防災品備蓄庫。
【請求項８】
請求項５または７に記載の非常用防災品備蓄庫の外面に点字にてその使用方法及びその位置を明示すると共に、前記非常用防災品備蓄庫にその使用方法及びその位置を説明する音声案内装置を設け、前記揺れ感知センサが所定の揺れ以上を検知すると、前記音声案内装置による音声案内が始まることを特徴とする非常用防災品備蓄庫。
【請求項９】
請求項５、７または８に記載の非常用防災品備蓄庫の外面に液晶モニターを取り付け、該液晶モニターに各種情報を送信することを特徴とする非常用防災品備蓄庫。
【発明の詳細な説明】
【技術分野】
【０００１】  本発明は、地震や事故などにより人が閉じ込められ易い室内に設置する非常用防災品備蓄庫に関し、特に救出の難しいエレベーター、ロープウエイ、ケーブルカーなどに設置する非常用防災品備蓄庫に関する。
【背景技術】
【０００２】  エレベーター、ロープウエイ、ケーブルカーなどは、地震や事故などにより運転が停止すると、これらの中に閉じ込められた人々は自力で脱出することは難しく、外部から救出されるのを待つしかないのが現状であり、その救出に長時間かかることが多い。長時間閉じ込められた人々が直面する最も困難な状況は、トイレを使用できないことであり、次いで喉の渇きや空腹などであり、特に持病などを抱えている人にとり、長時間閉じ込められることは命取りとなりかねない。【０００３】  さらに、近年の建設事情から、特に都市圏では高層ビルが林立しているため、大地震が起きた場合多数のエレベーターが同時に運転停止することになり、その際運良く特定の階に停止している時に運転停止となれば、人々は直ぐにエレベーター内から脱出出来るが、そうでない場合はエレベーター内に閉じ込められることになる。そして、大地震がおさまってもエレベーターが自動的に運転復帰することは稀であり、ほとんどのエレベーターは運転停止の状態のままとなり、人々はエレベーター内に閉じ込められ救出を待つことになる。【０００４】  しかしながら、大地震の場合、運転停止のエレベーターは多数であり、それに対し救出出来る技術要員は数が限られているし、仮に技術要員が確保出来たとしても、大地震後であるから現場まで辿り着くのに時間がかかり、しかも停電が続いていれば救出作業は困難を極めることになる。いずれにしても、エレベーター内に閉じ込められ人々は救出されるまで長時間待たされることになる。このような状況から、エレベーター内に非常用トイレが設置された以下のようなものが知られている。
【特許文献１】  特開２００６−８７９６４号公報
【特許文献２】  特開２００６−２５６８７０号公報
【０００５】  特許文献１によれば、エレベーター内の角部に便器を設け、角部両隣の壁の一部に可動壁を設けて、通常時は便器の蓋上に座り椅子として使用し、非常時は便器の蓋を開け、可動壁にて便器を囲いエレベーター内の非常用トイレとするものである。【０００６】  特許文献２によれば、エレベーター内の角部に便器を設けると共に、角部両隣の壁の一部に可動壁を設け、さらにエレベーター上部に水槽を設けると共に下部に便槽を設けてなり、水槽と便器との間を給水パイプで繋ぎ且つエレベーターの壁内にバルブと蛇口とを設けてなる。通常時は便器の蓋上に座り椅子として使用し、非常時は便器の蓋を開け、可動壁にて便器を囲いエレベーター内の非常用トイレとし、非常用トイレの使用後、壁内のバルブを開き水槽から水を流し汚物を便槽に流す。また、他に緊急的に水を使用したい場合は蛇口を開き、水を得る。
【発明の開示】
【発明が解決しようとする課題】
【０００７】  特許文献１、２の非常用トイレはいずれも場所を多くとり邪魔であり、しかも通常時は椅子として利用出来るだけであり、特許文献２のものは緊急的に水を使用することが出来るが、他の要素は全くなく、例えば、空腹などに対しては全く考慮されていない。また、大地震などでは停電になることが当然考えられるが、そのような場合、仮に非常用トイレや水の利用が可能であっても、事実上利用できないことになる。【０００８】  そこで、本発明は、上記事情に鑑みてなされたもので、通常時スペースをあまり取らないのに必要にして充分な非常用防災品を確保出来、非常時停電していてもトイレに変身させることが出来、長時間にわたる救出に耐えることが出来る非常用防災品備蓄庫を提供することを課題とする。
【課題を解決するための手段】
【０００９】  本発明は、上記課題を達成するために提案されたものであって、下記の構成からなることを特徴とするものである。
すなわち、請求項１記載の発明は、室内の角の側壁に沿う両側の斜辺側板に底辺側板をつなげて形成し且つ該底辺側板に切欠を有する有底の三角筒体と、該三角筒体の上部開口及び前記切欠を覆い且つ開閉可能な蓋体とで構成し、前記三角筒体は中間位置で２分割し下部三角筒体と上部三角筒体とをヒンジで連結して、該上部三角筒体を１８０度折り曲げ中間高さの四角筒体を形成可能にしてなり、通常時は非常用防災品を収納し且つ蓋体にて閉じた状態の前記三角筒体を前記室内の角に設置してあり、非常時は前記三角筒体内から前記非常用防災品を取り出すと共に、前記上部三角筒体を１８０度折り曲げ中間高さの四角筒体を形成し、該四角筒体に前記非常用防災品のトイレ用具をセットして非常用トイレにすることを特徴とする非常用防災品備蓄庫である。【００１０】  請求項２記載の発明は、前記下部三角筒体及び上部三角筒体の分離端に内側に延びる縁板を設けた非常用防災品備蓄庫である。【００１１】  請求項３記載の発明は、前記下部三角筒体及び上部三角筒体における下部切欠及び上部切欠は同形である非常用防災品備蓄庫である。【００１２】  請求項４記載の発明は、前記三角筒体の上方に蓋体付の備蓄箱を積み上げてなる非常用防災品備蓄庫である。【００１３】  請求項５記載の発明は、前記三角筒体に揺れ感知センサ及び防犯ブザー並びにこれらの制御機器を設けてなり、前記揺れ感知センサが所定の揺れ以上を検知すると、前記蓋体を開けても前記防犯ブザーを作動させず、前記揺れ感知センサが所定の揺れ以上を検知しないのに前記蓋体を開けると、前記防犯ブザーを作動させる非常用防災品備蓄庫である。【００１４】  請求項６記載の発明は、上記した非常用防災品備蓄庫の外面に、蓄光材にてその使用方法及びその位置を、明示してなることを特徴とする非常用防災品備蓄庫である。【００１５】  請求項７記載の発明は、上記した請求項５の非常用防災品備蓄庫に非常灯を設け、前記揺れ感知センサが所定の揺れ以上を検知すると、前記非常灯が点灯することを特徴とする非常用防災品備蓄庫である。【００１６】  請求項８記載の発明は、上記した請求項５または７の非常用防災品備蓄庫の外面に点字にてその使用方法及びその位置を明示すると共に、前記非常用防災品備蓄庫にその使用方法及びその位置を説明する音声案内装置を設け、前記揺れ感知センサが所定の揺れ以上を検知すると、前記音声案内装置による音声案内が始まることを特徴とする非常用防災品備蓄庫である。【００１７】  請求項９記載の発明は、上記した請求項５、７または８の非常用防災品備蓄庫の外面に液晶モニターを取り付け、該液晶モニターに各種情報を送信することを特徴とする非常用防災品備蓄庫である。
【発明の効果】
【００１８】  以上詳述したように、本発明によれば、以下のような効果がある。
請求項１記載の発明は、室内の角の側壁に沿う斜辺側板を有し非常用防災品を収納している三角筒体が、通常時、室内の角の側壁に沿って設置されて場所を取らず、非常時、三角筒体内から非常用防災品を取り出した後、上部三角筒体を１８０度折り曲げ中間高さの四角筒体を形成し、その四角筒体に非常用防災品のトイレ用具をセットして非常用トイレにする。したがって、通常時スペースをあまり取らないのに必要にして充分な非常用防災品を確保出来、非常時にトイレに変身させることが出来、長時間にわたる救出に耐えることが出来る効果がある。【００１９】  請求項２記載の発明は、非常時、上部三角筒体を１８０度折り曲げ中間高さの四角筒体を形成し、その四角筒体にトイレ用具をセットして非常用トイレにして、それを使用したた際、縁板により人に当たる荷重を分散する。したがって、上記の効果に加えて、快適にトイレを済ますことが出来る効果がある。【００２０】  請求項３記載の発明は、非常時に上部三角筒体を１８０度折り曲げた際、下部切欠と上部切欠とが合致した中間高さの四角筒体を形成する。したがって、上記の効果に加えて、下部切欠と上部切欠とが合致して変形しずらい四角筒体が出来、強度的に強い非常用トイレとなる効果がある。【００２１】  請求項４記載の発明は、上方の備蓄箱にも非常用防災品を収納出来る。したがって、上記の効果に加えて、上方の備蓄箱のスペース分、非常用防災品を多く収納できる効果がある。【００２２】  請求項５記載の発明は、揺れ感知センサが所定の揺れ以上を検知しないで、三角筒体の蓋体あるいは備蓄箱の蓋体を開けると防犯ブザーが鳴り、揺れ感知センサが所定の揺れ以上を感知すると両蓋体を開けても防犯ブザーが鳴らない。したがって、両蓋体に施錠することなく防犯を図れて、非常用防災品を確保出来る効果がある。【００２３】  請求項６記載の発明は、上記した非常用防災品備蓄庫を設置してある室内が暗くても、人は蓄光材により非常用防災品備蓄庫の使用方法及び位置を認知出来、非常用防災品備蓄庫を使用出来る。したがって、上記の効果に加えて、停電などにより室内が暗くても、容易に非常用防災品備蓄庫を利用できる効果がある。【００２４】  請求項７記載の発明は、揺れ感知センサが所定の揺れ以上を検知すると、上記した非常用防災品備蓄庫に設けてある非常灯が点灯する。したがって、上記の効果に加えて、停電などにより室内が暗くても、非常灯のあかりにて、極めて容易に非常用防災品備蓄庫を利用できる効果がある。【００２５】  請求項８記載の発明は、上記した非常用防災品備蓄庫の外面に記載された点字を辿れば、視覚障害者が非常用防災品備蓄庫の使用方法及びその位置を認知出来、さらに、揺れ感知センサが所定の揺れ以上を検知すると、音声案内装置による音声案内が始まる。したがって、上記の効果に加えて、健常者は無論のこと、視覚障害者のみが室内に閉じ込められても、極めて容易に非常用防災品備蓄庫を利用できる効果がある。【００２６】  請求項９記載の発明は、上記した非常用防災品備蓄庫の外面に取り付けてある液晶モニターから各種情報のうち広告を送信すれば、広告料を取得出来る可能性が出てくる。したがって、上記の効果に加えて、広告料を取得出来れば、非��用防災品備蓄庫の設置コスト及びその維持コストに資することが出来る効果がある。
【発明を実施するための最良の形態】
【００２７】  以下に、図面を参照して本発明を実施するための最良の形態を説明する。
【実施例１】
【００２８】  図１は本発明の実施の形態を示す非常用防災品備蓄庫の斜視図、図２は蓋体を外した状態の三角筒体の斜視図、図３は非常用防災品備蓄庫の蓋体の斜視図、図４は三角筒体の上部三角筒体をヒンジを中心軸として１８０度折り曲げて、四角筒体に変身させた状態の斜視図である。図面において、非常用防災品備蓄庫１は、室内２の角２ａの側壁に沿う両側の斜辺側板３、３に底辺側板４をつなげて形成し且つこの底辺側板４に切欠５を有する有底の三角筒体６と、この三角筒体６の上部開口６ａ及び切欠５を覆い且つ開閉可能な蓋体７と、で構成し、三角筒体６は中間位置で２分割し下部三角筒体８と上部三角筒体９とをヒンジ１０で連結して、上部三角筒体９を１８０度折り曲げ中間高さの四角筒体１１を形成可能にしてなり、通常時は非常用防災品１２を収納し且つ蓋体７にて閉じた状態の三角筒体６を室内２の角２ａに設置してあり、非常時は三角筒体６内から非常用防災品１２を取り出すと共に、上部三角筒体９を１８０度折り曲げ中間高さの四角筒体１１を形成し、この四角筒体１１に非常用防災品１２のトイレ用具１３（図７参照）をセットして非常用トイレ１４（図９参照）にするものである。【００２９】  室内２は、特に限定がないが、地震や事故などにより人が閉じ込められやすいエレベーター、ロープウエイ、ケーブルカーなどのであり、特に、非常に数量が多く多数の人が閉じ込められることが予想されるエレベーターがその代表例である。したがって、以下、室内２はエレベーター２を前提として説明する。【００３０】  既述のとおり、非常用防災品備蓄庫１は、有底の三角筒体６と、この三角筒体６の上部開口６ａ及び切欠５を覆い且つ開閉可能な蓋体７と、三角筒体６内に収納する非常用防災品１２とが主要な構成要素である。有底の三角筒体６は、同形の両斜辺側板３に底辺側板４をつなげているから、直角２等辺三角形の底板１５で底を形成している。したがって、エレベーター２内の角は直角であることから、その角に非常用防災品備蓄庫１を設置すれば、エレベーター２内スペースを占有することが少なくできる。【００３１】  この三角筒体６は、中間位置で２分割され、下部三角筒体８と上部三角筒体９とに分かれ、これらの分離端にはそれぞれ内側に延びる縁板８ａ、９ａが設けられて、さらに、これらは前記ヒンジ１０にて連結され、ヒンジ１０を軸として上部三角筒体９を１８０度折り曲げ可能となっている。そして、上部三角筒体９を１８０度折り曲げ、中間高さの四角筒体１１を形成すると、四角筒体１１の上面に縁板８ａ、９ａが位置することになって、その四角筒体１１にトイレ用具１３をセットして、非常用トイレ１４にした際、それを使用する人は、縁板８ａ、９ａにより自分の体重を分散出来るから、快適に利用できることになる。【００３２】  また、三角筒体６は、その底辺側板４に切欠５があり、この切欠５は下部三角筒体８及び上部三角筒体９に関わり、それぞれ下部切欠５ａ及び上部切欠５ｂとなり、それぞれ同形である。したがって、非常時に上部三角筒体９を１８０度折り曲げた際、下部切欠５ａと上部切欠５ｂとが合致した中間高さの四角筒体１１を形成することになり、変形しずらくなって、この四角筒体１１は高強度の非常用ト��レ１４を形成することになる。【００３３】  前記蓋体７は、有底の三角筒体６の状態時に使用されるものであり、この三角筒体６の切欠５から非常用防災品１２が出てしまうのを防ぎ、さらに、三角筒体６内に収納された非常用防災品１２の紛失あるいは盗難やいたずらを防護するものであるから、三角筒体６の切欠５を覆うと共に上部開口６ａを覆いしかも簡単には取り外せないようにする必要がある。したがって、蓋体７は、側面閉鎖板７ａと上部開口閉鎖板７ｂとに分かれ、これらは蝶番１６などにより連結している。しかしながら、地震などにより、エレベーター２内に人が閉じ込められたような時は、有底の三角筒体６から蓋体７を容易に取り外せ、中の非常用防災品１２を取り出せ、さらに三角筒体６を四角筒体１１に変身させ得るものでなくてはならない。なお、図１、３中、１７は蓋体７を開け易くするための把手であり、また、蝶番１６を無くして、側面閉鎖板７及び上部開口閉鎖板７ｂを一体としても良い。【００３４】  前記非常用防災品１２は、地震などにより、エレベーター２内に人が長時間閉じ込められたような時に必要となる物である。この非常用防災品１２を例示すれば、飲料水、乾パン缶詰などの非常食、トイレ用具１３、トイレ用凝固剤、トイレ目隠し用のエマージャンシーブランケット１８（図９参照）、エマージャンシーブランケットの吊り用具、消臭スプレー、チィッシュペーパー、発電機付ラジオ／ライト、マスクなどである。【００３５】  そして、前記三角筒体６に揺れ感知センサ２０及び防犯ブザー２１並びにこれらの制御機器２２を設けてなり、これらは図５に示すように、互いに電気的に接続されている。またさらに、この制御機器２２は、下方の三角筒体６の前記蓋体７の「開」を検知する下蓋体センサ２３及び後述する上方の備蓄箱３０の蓋体３１の「開」を検知する上蓋体センサ２４も、制御機器２２に電気的に接続され、さらに、後述する非常灯２５及び音声案内装置２６にも電気的に接続されている。【００３６】  前記非常用防災品備蓄庫１における下方の三角筒体６の蓋体７及び上方の備蓄箱３０の蓋体３１は、共に開閉が自由であるので、蓋体７及び蓋体３１を開けて下方の三角筒体６及び上方の備蓄箱３０内から前記非常用防災品１２を取り出すことが可能である。しかしながら、揺れ感知センサ２０が所定の揺れ以上を検知しないで、人が三角筒体６の蓋体７及び備蓄箱３０の蓋体３１のいずれかを開けると、蓋体７の「開」を検知する下蓋体センサ２３及び蓋体３１「開」を検知する上蓋体センサ２４のいずれかが、「開」信号を制御器２２に送り、制御機器２２は「開」信号のみなので、作動指令を出して防犯ブザー２１を鳴らす。このため、非常用防災品備蓄庫１の三角筒体６の蓋体７及び備蓄箱３０の蓋体３１のいずれかが、不正に開けられた事実が明確になり、非常用防災品１２に対するいたずらや盗難を防止できる。【００３７】  −方、揺れ感知センサ２０が所定の揺れ以上を検知した場合に、制御機器２２に「揺れ」信号を送り、そして、人が三角筒体６の蓋体７及び備蓄箱３０の蓋体３１のいずれかを開けると、蓋体７の「開」を検知する下蓋体センサ２３及び蓋体３１「開」を検知する上蓋体センサ２４のいずれかが、「開」信号���制御機器２２に送る。制御機器２２は「揺れ」信号と「開」信号とがあるので、作動指令を出さず防犯ブザー２１が鳴ることはない。このため、非常用防災品備蓄庫１の三角筒体６の蓋体７及び備蓄箱３０の蓋体３１のいずれも、適正に開けることが出来、非常用防災品１２を利用できる。【００３８】  前記非常用防災品備蓄庫１は、その外面、すなわち、三角筒体６あるいは蓋体７の外面に蓄光材にて書かれた文字や図などの情報により、その使用方法及びその位置を明示している。したがって、地震などにより、人がエレベーター２内に閉じ込められ停電になっても、上記の非常用防災品備蓄庫１を設置してあれば、人は蓄光材を頼りに非常用防災品備蓄庫１の使用方法及び位置を認知出来、非常用防災品備蓄庫１を使用出来る。なお、蓄光材による非常用防災品備蓄庫１の使用方法及びその位置の明示は、磁石や吸盤付のシートにして、そのシートをエレベーター２の側壁にあるいは非常用防災品備蓄庫１の外面に取り付けて良い。【００３９】  また、前記非常用防災品備蓄庫１は非常灯２５を設けてあり、この非常灯２５は、揺れ感知センサ２０が所定の揺れ以上を検知すると、点灯するようになっている。したがって、地震などによりエレベーター２内に閉じ込められ停電になっても、上記の非常用防災品備蓄庫１を設置してあれば、非常灯２５が点灯し非常用防災品備蓄庫１を有効且つ容易に使用出来る。【００４０】  また、前記非常用防災品備蓄庫１は、その外面、すなわち、三角筒体６あるいは蓋体７の外面に点字にてその使用方法及びその位置を明示すると共に、非常用防災品備蓄庫１内にその使用方法及びその位置を説明する音声案内装置２６を設け、人が蓋体７及び蓋体３１を開けると音声案内が始まるようになっている。したがって、地震などによりエレベーター２内に視覚障害者だけが閉じ込められても、点字を辿れば容易に非常用防災品備蓄庫１を利用でき、さらに、音声案内により視覚障害者のみならず健常者も極めて容易に非常用防災品備蓄庫１を利用できるようになる。【００４１】  また、前記非常用防災品備蓄庫１は、その外面、すなわち、三角筒体６あるいは蓋体７の外面に液晶モニターを取り付け、この液晶モニターに各種情報を送信出来るようになっている。したがって、液晶モニターからの各種情報のうち広告を送信すれば、広告料を取得出来る可能性が出て来る。もし、広告料を取得出来れば、非常用防災品備蓄庫１の設置コスト及びその維持コストに資することが出来る。【００４２】  次に、上記構成になる非常用防災品備蓄庫１の使用状況を説明する。
まず、三角筒体６の切欠５を蓋体７の側面閉鎖板７ａにより閉じた状態の三角筒体６内に、エレベーター２内などに人が長時間閉じ込められたような時に必要となる非常用防災品１２を収納し、三角筒体６の上部開口６ａを上部開口閉鎖板７ｂにて閉じる。この状態の非常用防災品備蓄庫１をエレベーター２内などの角２ａに設置する。【００４３】  次に、エレベーター２内の角２ａに設置された非常用防災品備蓄庫１がいたずらや盗難にあう場合、地震による揺れが無いから、揺れ感知センサ２０が所定の揺れ以上を検知することがないので、人が三角筒体６の蓋体７及び備蓄箱３０の蓋体３１のいずれかを開けると、下蓋体センサ２３及び上蓋体センサ２４のいずれかが、「開」信号を制御機器２２に送り、制御機器２２は「開」信号のみ受信するので、作動指令を出して防犯ブザー２１を鳴らし、必要となるに対するいたずらや盗難を防止する。【００４４】  これに対して、地震などによりエレベーター２が各階の途中に停止して人が閉じ込められ、しかもその救出に長時間かかるような状態、すなわち、閉じ込められた人は、非常用防災品備蓄庫１を使用する状況に追い込まれる。【００４５】  このような状況下では、同時に停電になることが多いが、揺れ感知センサ２０が所定の揺れ以上を検知しているから、非常灯２５が点灯して、非常用防災品備蓄庫１を利用できる。ここで、何らかの事情で非常灯２５が点灯しなくても、三角筒体６あるいは蓋体７の外面の蓄光材の情報を頼りに、非常用防災品備蓄庫１の使用方法及び位置を認知出来、非常用防災品備蓄庫１を使用出来る。また、揺れ感知センサ２０が所定の揺れ以上を検知しているから、音声案内装置２６があれば、音声案内が始まり非常用防災品備蓄庫１の使用方法及び位置を認知出来、非常用防災品備蓄庫１を使用出来る。【００４６】  また、エレベーター２内に閉じ込められた人が、視覚障害者のみである場合、非常用防災品備蓄庫１の外面に記載された点字を辿れば、容易に非常用防災品備蓄庫１を利用でき、点字を辿らなくても、上述の通り、揺れ感知センサ２０が所定の揺れ以上を検知しているから、音声案内装置２６による音声案内が始まり、視覚障害者のみならず健常者も含めて非常用防災品備蓄庫１を容易に利用できる。【００４７】  そして、非常用防災品備蓄庫１を実際に利用するには、三角筒体６の蓋体７の上部開口閉鎖板７ｂを開き、必要とする非常用防災品１２を取り出す。この際、揺れ感知センサ２０が所定の揺れ以上を検知しているから、防犯ブザー２１が鳴ることはない。エレベーター２内に閉じ込められた人が長期になると、トイレを使用したくなるが、その手順は以下の通りである。【００４８】  すなわち、非常用防災品備蓄庫１内から全ての非常用防災品１２を取り出し、さらに、三角筒体６から蓋体７を取り外して、上部三角筒体９をヒンジ１０を中心軸として１８０度折り曲げて中間高さの四角筒体１１を形成すると、四角筒体１１の上面に縁板８ａ、９ａが位置するから、その上に非常用防災品１２のトイレ用具１３をセットして快適な非常用トイレ１４とする。そして、非常用防災品１２のエマージャンシーブランケット１８を吊り用具にてエレベーター２内に吊り目隠しとする。この非常用トイレ１４の使用時に非常用防災品１２であるトイレ用凝固剤、消臭スプレー、チィッシュペーパーなども消費される。【００４９】  このようにして、エレベーター２内に閉じ込められた人は、非常用トイレ１４及び他の非常用防災品１２を使用しながら、外部からの救出を待つことになる。【００５０】  なお、非常用防災品備蓄庫１の外面に液晶モニターを取り付け、この液晶モニターから広告を送信して広告料を取得出来れば、非常用防災品備蓄庫１の設置コスト及びその維持コストに資することになる。
【実施例２】
【００５１】  図１０は本発明の実施例２を示す非常用防災品備蓄庫１ａの斜視図であり、この非常用防災品備蓄庫１ａと図１乃至９に示す実施例１との相違点は、三角筒体６の上方に蓋体３１付の備蓄箱３０を、エレベーター２の手すり２ｂを避けた支柱３２にて、支持し積み上げてなる点にある。これにより、上方の備蓄箱３０にも非常用防災品１２を収納出来、そのスペース分多く収納できることになる。なお、既述のとおり、蓋体３１の「開」を検知する上蓋体センサ２４が、備蓄箱３０及び／または蓋体３１に有り、制御器２２に電気的に接続されている。その他の構造、作用は図１乃至９に示す実施例１とほぼ同様なので、図面に番号を付し、その詳細な説明を省略する。【００５２】  以上、本発明の実施例１、２を説明したが、具体的な構成はこれに限定されず、本発明の要旨を逸脱しない範囲での変更・追加、各請求項における他の組み合わせにかかるものも、適宜可能であることが理解されるべきである。
【産業上の利用可能性】
【００５３】  本発明の非常用防災品備蓄庫は、エレベーターなど、通常時スペースをあまり取らず非常用防災品を充分確保し、非常時に停電でもトイレに変身させ得て、長時間にわたる救出に耐えさせたいような場合に、利用可能性が極めて高くなる。
【図面の簡単な説明】
【００５４】
【図１】本発明の実施の形態を示す非常用防災品備蓄庫の斜視図である（実施例１）。
【図２】蓋体を外した状態の三角筒体の斜視図である（実施例１）。
【図３】非常用防災品備蓄庫の蓋体の斜視図である（実施例１）。
【図４】三角筒体の上部三角筒体をヒンジを中心軸として１８０度折り曲げて、四角筒体に変身させた状態の斜視図である（実施例１）。
【図５】非常用防災品備蓄庫の運転制御の関係を示す系統図である（実施例１）。
【図６】本発明の実施の形態を示す非常用防災品備蓄庫の使用状態の側面図である（実施例１）。
【図７】本発明の実施の形態を示す非常用防災品備蓄庫の使用状態の側面図である（実施例１）。
【図８】本発明の実施の形態を示す非常用防災品備蓄庫の使用状態の側面図である（実施例１）。
【図９】本発明の実施の形態を示す非常用防災品備蓄庫の使用状態の平面図である（実施例１）。
【図１０】本発明の他の実施の形態を示す非常用防災品備蓄庫の斜視図である（実施例２）。
【符号の説明】
【００５５】１、１ａ                非常用防災品備蓄庫
２                      室内（エレベーター）
２ａ                    角
２ｂ                    手すり
３                      斜辺側板
４                      底辺側板
５                      切欠
５ａ                    上部切欠
５ｂ                    下部切欠
６                      三角筒体
６ａ                    上部開口
７、３１                蓋体
７ａ                    側面閉鎖板
７ｂ                    上部開口閉鎖板
８                      下部三角筒体
８ａ、９ａ              縁板
９                      上部三角筒体
１０                    ヒンジ
１１                    四角筒体
１２                    非常用防災品
１３                    トイレ用具
１４                    非常用トイレ
１５                    底板
１６                    蝶番
１７                    把手
１８                    エマージャンシーブランケット
２０                    揺れ感知センサ
２１                    防犯ブザー
２２                    制御機器
２３                    下蓋体センサ
２４                    上蓋体センサ
２５                    非常灯
２６                    音声案内装置
３０                    備蓄箱
３２                    支柱
【図１】
0005169327.tif 000002
【図２】
0005169327.tif 000003
【図３】
0005169327.tif 000004
【図４】
0005169327.tif 000005
【図５】
0005169327.tif 000006
【図６】
0005169327.tif 000007
【図７】
0005169327.tif 000008
【図８】
0005169327.tif 000009
【図９】
0005169327.tif 000010
【図１０】
0005169327.tif 000011